(57)【特許請求の範囲】
【請求項１】
筐体と、
前記筐体に組み込まれ被写体像を撮像する撮像部と、
前記筐体に取着され前記撮像部を覆うカバーとを備え、
前記カバーは、その合わせ面を前記筐体の合わせ面に合わせ第１の回転方向に回転することで、前記筐体の合わせ面に交差する方向であって前記筐体から離れる方向である第１の方向への移動が不能となる装着位置に位置し、前記装着位置から前記第１の回転方向とは逆向きの第２の回転方向に回転することで、前記第１の方向への移動が可能となる取り外し位置に位置し、
前記カバーに、前記装着位置において前記筐体の雌ねじに合致し、前記第１の方向に対して反対の方向である第２の方向から雄ねじ部材が挿通されるねじ挿通孔が設けられ、
前記装着位置において前記ねじ挿通孔に挿通された前記雄ねじ部材の雄ねじ部が前記雌ねじに螺合され、
前記装着位置において前記ねじ挿通孔に臨む前記雌ねじの箇所は、該雌ねじの周方向に沿った前記筐体部分が切り取られて形成された欠部と、前記欠部により前記雌ねじの部分が残存されて形成された残存部とで構成され、
前記欠部は、前記雄ねじ部の先部が前記残存部の雌ねじに結合された状態から前記カバーの前記第２の回転方向への回転に伴って前記カバーと共に移動することを許容するように形成されている、
撮像装置。
【請求項２】
前記筐体は更に、取り付け座を有しており、
前記雌ねじは、前記取り付け座に形成され、
前記雌ねじは、前記取り付け座の表面に開口しており、
前記残存部および前記欠部は、前記取り付け座の表面に形成されている
請求項１記載の撮像装置。
【請求項３】
前記カバーと前記筐体とに、前記装着位置で係合し前記取り外し位置で前記係合が解除される係止爪がそれぞれ設けられている
請求項１又は請求項２に記載の撮像装置。
【請求項４】
前記筐体は、前記撮像部が内側に収容される周壁を有し、
前記筐体の合わせ面は、前記周壁の全周に設けられ、
前記カバーは前記撮像部および前記周壁を覆う形状で設けられ、
前記カバーの合わせ面は、前記筐体の合わせ面に当接可能な環状の面で形成されている
請求項１乃至請求項３のいずれか１項に記載の撮像装置。
【発明の詳細な説明】
【技術分野】
【０００１】
本発明は撮像装置に関する。
【背景技術】
【０００２】
建物や室内の天井面などに取り付けて使用する撮像装置として、外装を構成する筐体と、筐体に組み込まれ被写体像を撮像する撮像部と、筐体に取着され撮像部を覆うカバーとを備えたものが提供されている（特許文献１参照）。
多くの場合、カバーはその合わせ面を筐体の合わせ面に合わせ一方に回転することで筐体から離れる方向への移動が不能となる装着位置となり、一方とは逆向きの他方に回転することで筐体から離れる方向への移動が可能となる取り外し位置となる。
そして、カバーに、装着位置において筐体の雌ねじに合致するねじ挿通孔が設けられ、装着位置においてねじ挿通孔に挿通された雄ねじ部材の雄ねじが雌ねじに螺合されることでカバーが装着位置に保持されるように構成されている。
【特許文献１】特開２０００−１５５３６６
【発明の開示】
【発明が解決しようとする課題】
【０００３】
しかしながら、雌ねじの加工上、雌ねじが筐体表面に臨む箇所には雌ねじの全周にわたってＣカットと称される面取りが必ず形成される。
そのため、雄ねじ部材を雌ねじから取り外すために、雄ねじ部材を回転させ、雄ねじと雌ねじの螺合状態を解除したとしても、雄ねじ部の先部は前記面取り内に位置している。
天井取り付け以外の設置で（雌ねじが鉛直方向下方を向いた状態以外の設置で）、このように雄ねじ部の先部が雌ねじの面取り内に位置した状態のままで、カバーを装着位置から取り外し位置に回転させると、ねじ部の先部が雌ねじの面取りに引っかかってしまうため、雄ねじ部材を把持して雄ねじ部材を引き出し、雄ねじ部の先部を雌ねじの面取りから完全に離脱させなくてはならず、カバーの取り外し作業が面倒なものとなっている。
また、ねじ部の先部が雌ねじの面取りに引っかかった状態でカバーを装着位置から取り外し位置に無理に回転させると、雄ねじ部材と雌ねじとの間、および、雄ねじ部材とカバーとねじ挿通孔との間に無理な力が掛かり、筐体およびカバーに損傷を与えるおそれがあった。
本発明は、このような事情に鑑みなされたもので、その目的は、カバーの取り外し作業の効率化を図りつつ、筐体およびカバーの耐久性の向上を図る上で有利な撮像装置を提供することにある。
【課題を解決するための手段】
【０００４】
上記目的を達成するために本発明の撮像装置は、筐体と、前記筐体に組み込まれ被写体像を撮像する撮像部と、前記筐体に取着され前記撮像部を覆うカバーとを備え、前記カバーは、その合わせ面を前記筐体の合わせ面に合わせ第１の回転方向に回転することで、前記筐体の合わせ面に交差する方向であって前記筐体から離れる方向である第１の方向への移動が不能となる装着位置に位置し、前記装着位置から前記第１の回転方向とは逆向きの第２の回転方向に回転することで、前記第１の方向への移動が可能となる取り外し位置に位置し、前記カバーに、前記装着位置において前記筐体の雌ねじに合致し、前記第１の方向に対して反対の方向である第２の方向から雄ねじ部材が挿通されるねじ挿通孔が設けられ、前記装着位置において前記ねじ挿通孔に挿通された前記雄ねじ部材の雄ねじ部が前記雌ねじに螺合され、前記装着位置において前記ねじ挿通孔に臨む前記雌ねじの箇所は、該雌ねじの周方向に沿った前記筐体部分が切り取られて形成された欠部と、前記欠部により前記雌ねじの部分が残存されて形成された残存部とで構成され、前記欠部は、前記雄ねじ部の先部が前記残存部の雌ねじに結合された状態から前記カバーの前記第２の回転方向への回転に伴って前記カバーと共に移動することを許容するように形成されている。
【発明の効果】
【０００５】
本発明によれば、欠部が、雄ねじ部の先部が残存部の雌ねじに結合された状態からカバーの第２の回転方向への回転に伴ってカバーと共に移動することを許容するので、カバーの取り外し作業の効率化を図りつつ、筐体およびカバーの耐久性の向上を図る上で有利となる。
【発明を実施するための最良の形態】
【０００６】
以下、本発明の実施の形態を図面に基づいて詳細に説明する。
図１は本実施の形態の撮像装置１０の斜視図、図２撮像装置１０の断面図、図３はドームカバー１８の断面図、図４はドーム型カバー１８を外した撮像装置１０の平面図、図５は図４のＡＡ線断面図である。
図６は回転支持機構１４から内カバー３０を外した状態を示す側面図、図７は図６の平面図である。
【０００７】
本実施の形態では、撮像装置１０は、室内あるいは建物の天井や壁面に取着され、室内や屋外の被写体の監視あるいは観察を行う監視カメラである。
図１、図２に示すように、撮像装置１０は、筐体１２と、回転支持機構１４と、撮像部１６と、ドーム型カバー１８などを含んで構成されている。
【０００８】
筐体１２は、本体ケース２０を有している。
本体ケース２０は、アルミダイカスト製であり、上壁２６と、上壁２６の周囲から起立された円筒状の周壁２８とを備えている。
周壁２８の内側には後述する撮像部１６が収容されている。
【０００９】
本体ケース２０には、基板２２が収容されている。
基板２２は、周壁２８の内径よりも小さい寸法のほぼ円板状を呈し、上壁２６と間隔をおいて平行した状態で配設されている。
基板２２は、後述する制御系の大部分を構成するものであり、プリント基板に複数の電子部品が実装されることで構成されている。
【００１０】
図２に示すように、回転支持機構１４は本体ケース２０に収容されており、基台部１４Ａと、第１支持部材１４Ｂと、第２支持部材１４Ｃと、基板カバー２４を備えている。
基台部１４Ａは、平面視した状態で基板２２よりも小さい寸法の直径の円筒壁部１４０２を有している。
円筒壁部１４０２の上端から半径方向外方に取り付け片１４０４が延在形成されている。
取り付け片１４０４は、基板２２と共にねじにより上壁２６から突設された複数のボス部（図略）に締結され、基台部１４Ａは基板２２の中心軸と同軸上に位置した状態で本体ケース２０に取着されている。
また、基台部１４Ａに基板カバー２４が取着されている。
基板カバー２４は、図７に示すように、本体ケース２０の周壁２８の内周と、基台部１４Ａの円筒壁部１４０２の外周との間で基板２２を覆うものであり環板状を呈している。
基板カバー２４は、基板カバー２４の内周部に形成された係合爪（図略）が、円筒壁部１４０２の外周に設けられた係合溝に係合することで基台部１４Ａに取着されている。
なお、本実施の形態では、基台部１４Ａと基板カバー２４とは、筐体１２の一部を構成している。
第１支持部材１４Ｂは、基台部１４Ａの中心軸である第１の仮想軸Ｘ回りに回動可能に基台部１４Ａに連結されている。
第２支持部材１４Ｃは、第１支持部材１４Ｂに対して第１の仮想軸Ｘと直交する第２の仮想軸Ｙ回りに回動可能に連結されている。
本実施の形態では、図２、図４に示すように、第２支持部材１４を覆う内カバー３０が第１支持部材１４Ｂに取着されており、内部カバー３０には、撮像部１６の第２の仮想軸Ｙ回りの回転を許容する切り欠き３００２が形成されている。
【００１１】
撮像部１６は、被写体像を撮像して撮像信号を生成するものである。
撮像部１６は、第２支持部材１４Ｃに収容保持されており、したがって、撮像部１６は回転支持機構１４を介して筐体１２に対して第１、第２の仮想軸Ｘ、Ｙ周りに回転可能に支持されている。
したがって、撮像部１６を手で動かすことにより撮像光学系１５の光軸を任意の方向に向けることができ、撮像部１６から手を離すと回転支持機構１４により撮像部１６の姿勢はそのまま維持され、撮像光学系１５の向きが固定された状態となる。
撮像部１６は、撮像光学系１５を収容する鏡筒１６Ａを含んで構成され、鏡筒１６Ａには撮像光学系１５によって導かれた被写体像を撮像して撮像信号を生成する撮像素子３２（図８）が組み込まれている。
【００１２】
ドーム型カバー１８は、筐体１２に装脱可能に取着され、回転支持機構１４、撮像部１６を覆うものである。
ドーム型カバー１８は、図２、図３に示すように、ドーム部１８Ａと、外周部１８Ｂとを備えている。
ドーム部１８Ａは、透明な合成樹脂などによって形成され、撮像部１６の撮像光学系１５による撮像を可能としている。
外周部１８Ｂは、ドーム部１８Ａの外周に環状に延在形成され、不透明な合成樹脂材料で形成され、外周部１８Ｂの内部が視認されないようにしている。
【００１３】
次に、撮像装置１０の制御系について説明する。
図８は撮像装置１０の制御系の構成を示すブロック図である。
図８に示すように、撮像装置１０は、上記の撮像光学系１５、鏡筒１６、撮像素子３２に加えて、画像処理部３４、ネットワーク用通信部３６、ネットワーク用コネクタ３８、インターフェース用通信部４０、インターフェース用コネクタ４２、電源部４４、第１コネクタ４６Ａ、第２コネクタ４６Ｂ、オーディオ信号処理部４８、オーディオ入力用コネクタ５０Ａ、オーディオ出力用コネクタ５０Ｂ、制御部５２、パワーランプ５４、ネットワークランプ５６などを備えている。
画像処理部３４は撮像素子３２から供給される撮像信号に対して所定の信号処理を行い所定の画像データ（静止画データ、動画データ）を生成するものであり、生成した画像データを制御部５２に供給する。
【００１４】
ネットワーク用通信部３６は、ネットワーク用コネクタ３８とそのネットワーク用コネクタ３８に接続されたネットワーク用ケーブルを介して外部装置（サーバなどのホスト装置）に接続され、双方向に通信を行うことで、制御部５２と前記ホスト装置との間で情報の授受を行なうものである。
本実施の形態では、ネットワーク用通信部３６は例えばＬＡＮ、イーサネット(登録商標)によって通信を行う。
前記外部装置に送信する情報としては、画像データや後述するオーディオデータが含まれ、外部装置から受信する情報としては、撮像された画像データの明るさや色調などの調整などを指示する制御コマンド、あるいは、外部装置に入力されたオーディオデータなどが含まれる。
インターフェース用通信部４０はインターフェース用コネクタ４２に接続され、インターフェース用コネクタ４２を介して外部装置と双方向に通信を行うことで、制御部５２と前記外部装置との間で情報の授受を行なうものであり、例えば、撮像装置１０の保守作業の際に使用される。
【００１５】
電源部４４は第１、第２コネクタ４８Ａ、４８Ｂに接続され、第１、第２コネクタ４８Ａ、４８Ｂを介して外部の電源装置から電源ケーブル（図略）を介して供給される電力を所定の電圧、電流に調整し、撮像素子３２、画像処理部３４、ネットワーク用通信部３６、インターフェース用通信部４０、オーディオ信号処理部４８、制御部５２などに供給するものである。
電源部４４は３種類の電力を選択的に使用可能である。すなわち、第１コネクタ４６Ａを介して供給される交流電力あるいは直流電力、および、第２コネクタ４６Ｂを介して供給されるネットワーク用の電力の３種類の何れか１つを使用する。
【００１６】
オーディオ信号処理部４８は、制御部５２によって制御されオーディオ入力用コネクタ５０Ａとオーディオ出力用コネクタ５０Ｂに接続されている。
オーディオ信号処理部４８は、オーディオ入力用コネクタ５０Ａに接続されたマイクロフォンなどから入力されるオーディオ信号をデジタル信号に変換して制御部５２に供給するとともに、制御部５２から供給されるデジタル信号のオーディオ信号をアナログ信号に変換してオーディオ出力用コネクタ５０Ｂに接続されたスピーカーなどに供給することで音響を発生させる。
パワーランプ５４は、電源のオン、オフを点灯、滅灯によって示すインジケータランプである。
【００１７】
また、ネットワークランプ５６は、ネットワーク接続動作中か否かを点灯、滅灯によって示すインジケータランプである。
これらパワーランプ５４、ネットワークランプ５６は例えば、本体ケース２０あるいは基板カバー２４の表面に臨むように設けられている。
また、上述したネットワーク用コネクタ３８、インターフェース用コネクタ４２、第１コネクタ４６Ａ、第２コネクタ４６Ｂ、オーディオ入力用コネクタ５０Ａ、オーディオ出力用コネクタ５０Ｂ、パワーランプ５４、ネットワークランプ５６は、図示を省略したが、本体ケース２０あるいは基板カバー２４の表面に臨むように設けられている。
【００１８】
制御部５２は、画像処理部３４、ネットワーク用通信部３６、インターフェース用通信部４０、電源部４４、オーディオ信号処理部４８、パワーランプ５４、ネットワークランプ５６の制御を行なうものであり、ＣＰＵやＲＯＭ、ＲＡＭ、インターフェース用ＬＳＩを含むマイクロコンピュータを含んで構成されている。
すなわち、制御部５２は、画像処理部３４から供給される画像データや、オーディオ入力用コネクタ５０Ａからオーディオ信号処理部４８を介して入力されるオーディオ信号をネットワーク用通信部３６、ネットワーク用コネクタ３８を介して外部装置に供給する。
また、制御部５２は、外部装置からネットワーク用コネクタ３８、ネットワーク用通信部３６を介して供給される音声データをオーディオ信号処理部４８、オーディオ出力用コネクタ５０Ｂを介してスピーカーに供給して音響を発生させる。
【００１９】
図９（Ａ）乃至（Ｄ）は図４のＢＢ線断面を示す図であり、（Ａ）はねじ２の頭部４が貫通孔６８に挿入された状態を示す説明図、（Ｂ）はねじ２の頭部４が脚片７０を押し広げた状態を示す説明図、（Ｃ）はねじ２の頭部４が脚片７０の端部７２に当接した状態を示す説明図、（Ｄ）はねじ２の頭部４が係止面６２に係止した状態を示す説明図である。
筐体１２は、撮像装置１０を天井面Ｔ（図５）に取り付けるための取り付け座５８を有している。
本実施の形態では、図４、図５に示すように、取り付け座５８は上壁２６の周方向に間隔をおいた２箇所に設けられている。
取り付け座５８にはそれぞれねじ挿通孔６０が形成されている。
ねじ挿通孔６０にはねじ２が挿通される。
ねじ２は、頭部４と、頭部４の下面に設けられた頭部４よりも大径のワッシャ５と、頭部４の下面から延在する雄ねじ部６とを有している。
ねじ挿通孔６０の延在方向の一方の端部に位置する取り付け座５８箇所に、ねじ２の頭部４（ワッシャ５）が係止される係止面６２が形成されている。
ねじ挿通孔６０の延在方向の他方の端部に位置する取り付け座５８箇所に、天井面Ｔに当て付けられる当て付け面６４が形成されている。
【００２０】
基板カバー２４に、係止面６２に対向する壁部６６が設けられている。
ねじ挿通孔６０に対向する壁部６６の箇所に、ねじ２の頭部４よりも大きい内径の貫通孔６８が設けられている。
本実施の形態では、貫通孔６８はねじ挿通孔６０と同軸上に設けられている。
貫通孔６８の周囲の壁部６６の箇所で周方向に間隔をおいた複数箇所に、係止面６２方向に延在し貫通孔６８の径方向に弾性変形可能な複数の脚片７０が設けられている。
筐体１２は合成樹脂製であり、複数の脚片７０は筐体１２に一体に形成されている。
本実施の形態では、脚片７０が１８０度の位相をずらして２つ設けられている。
複数の脚片７０の端部７２と係止面６２との間は、ねじ２の頭部４の高さよりも大きな寸法が確保されている。
【００２１】
複数の脚片７０の延在方向の端部７２は、それらの内周を結ぶ想像線の内径がねじ２の頭部４の外径よりも小さい寸法で形成されている。
複数の脚片７０の内周を結ぶ想像線の内径は、複数の脚片７０の延在方向の端部に至るにつれて次第に小さくなる寸法で形成されている。
また、脚片７０は、該脚片７０の延在方向の端部７２に至るにつれて肉厚が次第に大きくなるように形成されている。
【００２２】
次に撮像装置１０の天井面Ｔへの取り付けについて説明する。
図１０は図９（Ａ）からねじ２を取り除いたＺ１矢視図、図１１は図９（Ｂ）のＺ２矢視図、図１２は図９（Ｄ）のＺ３矢視図である。
図５に示すように、撮像装置１０を取り付ける天井面Ｔに予め取付金具８０が取着されており、取付金具８０には、撮像装置１０の取り付け座５８のねじ挿通孔６０に対応した箇所にそれぞれ雌ねじ８２が設けられている。
取り付けに先立って、図４、図５に示すように、撮像装置１０からドーム型カバー１８を取り外しておく。
この状態で、撮像装置１０の筐体１２の上壁２８を取付金具８０に臨ませ、図１０に示すように、取り付け座５８のねじ挿通孔６０と取付金具８０の雌ねじ８２とを合致させる。
次いで、ドライバの先端をねじ２の頭部４に係合させた状態で、図９（Ａ）、図１１に示すように、ねじ２の雄ねじ部６を貫通孔６８からねじ挿通孔６０に向けて挿入する。
さらに、ねじ２の頭部４を押し込むと、図９（Ｂ）、図１２に示すように、ワッシャ５の外周が各脚片７０の内側に当接し、各脚片７０を押し広げる。
さらにねじ２の頭部４を押し込むことで、図９（Ｃ）に示すように、ワッシャ５の外周が各脚片７０の端部７２を乗り越える。
このようにワッシャ５が各脚片７０の端部７２を乗り越えた状態で、ドライバの先端がねじ２の頭部４から外れても、ワッシャ５の外周が各脚部７０の端部７２に係合し、これにより貫通孔６８からのねじ２の脱落防止が図られる。したがって、撮像装置１０を天井面や天井近傍の壁面などに取り付ける際に、誤ってねじを落下させた場合、作業者が脚立やはしごからいったん降りて床の上に落下したねじを取り上げ、再び、脚立やはしごなどの高所に登るといった煩雑な作業を防止でき、これにより、撮像装置１０の取り付け作業の効率化、作業者の疲労度の軽減を図る上で有利となる。
【００２３】
本例では、ねじ２のワッシャ５が各脚部７０の端部７２に当接した状態で雄ねじ部６の先端が雌ねじ８２に臨んでいる。
ここで、ドライバによりねじ２の頭部４を回転して雄ねじ部６を雌ねじ８２に螺合することで、図９（Ｄ）、図１２に示すように、ねじ２のワッシャ５が係止面６２に当接すると共に、当て付け面６４が取付金具８０を介して天井面Ｔに当て付けられる。
これにより、筐体１２が取り付け座５８を介して天井面Ｔに取着される。
次いで、図２に示すように、ドーム型カバー１８を筐体１２に取り付けることで撮像装置１０の取り付けが完了する。
【００２４】
次にドーム型カバー１８の筐体１２への取り付け、取り外しについて説明する。
図１３は筐体１２の斜視図、図１４は図１３の平面図、図１５は筐体１２の係止爪２８０２の拡大斜視図、図１６は雄ねじ部８８と雌ねじ９４を示す取り付け座９８近傍の拡大斜視図、図１７は図１６の平面図、図１８は図１４のＣＣ線断面図である。
ドーム型カバー１８はその合わせ面８４を筐体１２の合わせ面８６に合わせ一方に回転することで筐体１２から離れる方向への移動が不能となる装着位置となり、一方とは逆向きの他方に回転することで筐体１２から離れる方向への移動が可能となる取り外し位置となる。なお、本実施の形態では、装着位置と取り外し位置との間でドーム型カバー１８が回転される場合について説明したが、ドーム型カバー１８の移動は回転に限定されず、例えば、直線運動などであってもよい。
ドーム型カバー１８の合わせ面８４は、図２、図３に示すように、外周部１８Ｂの先端の環状面である。
一方、筐体１２の合わせ面８６は、図２、図５に示すように、周壁２８の下端の環状面であり、それら合わせ面８４、８６は互いに当接可能である。
【００２５】
また、図３、図１３に示すように、ドーム型カバー１８と筐体１２とに、装着位置で係合し取り外し位置で係合が解除される係止爪１８０２、２８０２がそれぞれ設けられている。
本実施の形態では、ドーム型カバー１８の係止爪１８０２は、図３に示すように、外周部１８Ｂの内周面に周方向に間隔をおいて複数設けられ、それぞれ半径方向内側に突出している。
また、筐体１２の係止爪２８０２は、図１３、図１４に示すように、周壁２８の下端に突設され、周壁２８の周方向に延在している。
そして、装着位置において双方の係止爪１８０２、２８０２が係合し、ドーム型カバー１８は筐体１２から離れる方向への移動が不能となり、ドーム型カバー１８を取り外し位置へ回転することで双方の係止爪１８０２、２８０２は係合が解除され、ドーム型カバー１８は筐体１２から離れる方向への移動が可能となる。
【００２６】
図１、図１８に示すように、ドーム型カバー１８に、装着位置において筐体１２の雌ねじ８８に合致するねじ挿通孔９０が設けられている。
装着位置では、ねじ挿通孔９０に挿通された雄ねじ部材９２の雄ねじ部９４が雌ねじ８８に螺合され、これによりドーム型カバー１８が筐体１２に装着された状態に保持される。
【００２７】
そして、装着位置においてねじ挿通孔９０に臨む雌ねじ８８の箇所は、図１６乃至図１８に示すように、雌ねじ８８の周方向に沿った筐体１２部分が切り取られて形成された欠部９６と、欠部９６により雌ねじ８８の部分が残存されて形成された残存部９７とで構成されている。
欠部９６は、雄ねじ部９４の先部が残存部９７の雌ねじ８８に結合された状態で、ドーム型カバー１８が装着位置から取り外し位置へ向かう方向への雄ねじ９４の先部の移動を許容するように形成されている。
本実施の形態では、雌ねじ８８は、筐体１２の上壁２６から膨出形成された取り付け座９８に形成され、欠部９６および残存部９７は取り付け座９８の表面に形成されている。
【００２８】
次に、ドーム型カバー１８の取り付け、取り外しの手順について説明する。
図１９（Ａ）乃至（Ｃ）は雄ねじ部材９２の雌ねじ８８への螺合、取り外しの説明図である。
まず、ドーム型カバー１８を筐体１２に取り付ける際には、ドーム型カバー１８の合わせ面８４を筐体１２の合わせ面８６に合わせ、一方に回転することでドーム型カバー１８を装着位置に位置させ、係止爪１８０２、２８０２を係合した状態とする。
次いで、図１９（Ａ）に示すように、雄ねじ部材９２の雄ねじ部９４を、ドーム型カバー１８のねじ挿通孔９０を挿通させると、雄ねじ部９４の先端が雌ねじ８８に臨む。
この状態で、雄ねじ部材９２を回転させ雄ねじ部９４を雌ねじ８８に螺合することで、図１９（Ｂ）、（Ｃ）に示すように雄ねじ部材９２を介してドーム型カバー１８が筐体１２に装着された状態に保持される。
一方、ドーム型カバー１８を筐体１２から取り外す際には、図１９（Ｃ）、（Ｂ）に示すように雌ねじ８８との螺合が外れる方向に雄ねじ部材９２を回転させる。
やがて、図１８、図１９（Ａ）に示すように、雄ねじ部材９２の雄ねじ部９４の先部が欠部９６に臨んだならば、すなわち、雄ねじ部９４の先部が欠部９６および残存部９７に位置したならば、ドーム型カバー１８を装着位置から取り外し位置へ回転させる。
この際、雄ねじ部９４の先部は、欠部９６を通り取り付け座９８の外側に円滑に外れる。
ドーム型カバー１８を取り外し位置まで回転させると、係止爪１８０２、２８０２の係合が解除されるので、ドーム型カバー１８を筐体１２から取り外す。
【００２９】
以上説明したように本実施の形態によれば、筐体１２の雌ねじ８８の箇所に雌ねじ８８の周方向の半部が切り取られた欠部９６により、ドーム型カバー１８の装着位置から取り外し位置への回転方向への雄ねじ部９４の先部の移動を許容するようにしたので、ドーム型カバー１８の取り外し作業の効率化を図る上で有利となる。
特に、撮像装置１０が室内あるいは建物の天井近くの壁面などに取り付けられている場合には、作業者が脚立やはしごなどの上にいることから、ドーム型カバー１８の取り外し作業の効率化により、作業者の疲労度の軽減を図る上でも有利となる。
また、面取りは残存部９７の表面に設けられ、雄ねじ部９４の先部が面取りの部分内に位置した状態であっても、雄ねじ部９４の先部の移動が欠部９６により許容されるので、雄ねじ部材９２と雌ねじ８８との間、および、雄ねじ部材９２とねじ挿通孔９０との間に無理な力が掛かることがなく、筐体１２およびドーム型カバー１８の耐久性の向上を図る上で有利となる。
【００３０】
なお、本実施の形態では、欠部９６は、雌ねじ８８の周方向の半部が切り取られたものとして説明したが、欠部９６は雌ねじ８８の周方向の半部以上が切り取られたものであってもよいことは無論であり、要するに、欠部９６は、雄ねじ部９４の先部が、ねじ挿通孔９０に臨む雌ねじ８８の箇所に、螺合された状態で、ドーム型カバー１８の装着位置から取り外し位置への回転方向への雄ねじ部９４の先部の移動を許容するものであればよい。
また、本実施の形態では、撮像装置１０が監視カメラである場合について説明したが、本発明は監視カメラに限定されるものではなく、種々の被写体を撮影するさまざまな撮像装置に広く適用可能である。
また、本実施の形態では、本発明が筐体と、撮像部と、筐体に取着され撮像部を覆うカバーとを備える撮像装置に適用された場合について説明したが、本発明は、筐体と、筐体に取着されるカバーとを備え屋外の壁面や室内の壁面に取着される壁掛け型のインターフォン、マイクなどの電子機器、あるいは、筐体と、筐体に取着されるカバーとを備え屋外の壁面や室内の壁面に取着される照明機器にも無論適用可能である。
【図面の簡単な説明】
【００３１】
【図１】本実施の形態の撮像装置１０の斜視図である。
【図２】撮像装置１０の断面図である。
【図３】ドーム型カバー１８の断面図である。
【図４】ドーム型カバー１８を外した撮像装置１０の平面図である。
【図５】図４のＡＡ線断面図である。
【図６】回転支持機構１４から内カバー３０を外した状態を示す側面図である。
【図７】図６の平面図である。
【図８】撮像装置１０の制御系の構成を示すブロック図である。
【図９】（Ａ）はねじ２の頭部４が貫通孔６８に挿入された状態を示す説明図、（Ｂ）はねじ２の頭部４が脚片７０を押し広げた状態を示す説明図、（Ｃ）はねじ２の頭部４が脚片７０の端部７２に当接した状態を示す説明図、（Ｄ）はねじ２の頭部４が係止面６２に係止した状態を示す説明図である。
【図１０】図９（Ａ）からねじ２を取り除いたＺ１矢視図である。
【図１１】図９（Ｂ）のＺ２矢視図である。
【図１２】図９（Ｄ）のＺ３矢視図である。
【図１３】筐体１２の斜視図である。
【図１４】図１３の平面図である。
【図１５】筐体１２の係止爪２８０２の拡大斜視図である。
【図１６】雄ねじ部８８と雌ねじ９４を示す取り付け座９８近傍の拡大斜視図である。
【図１７】図１６の平面図である。
【図１８】図１４のＣＣ線断面図である。
【図１９】（Ａ）乃至（Ｃ）は雄ねじ部材９２の雌ねじ８８への螺合、取り外しの説明図である。
【符号の説明】
【００３２】
１０……撮像装置、１２……筐体、１６……撮像部、１８……ドーム型カバー、１８０２、２８０２……係止爪、８４、８６……合わせ面、８８……雌ねじ、９０……ねじ挿通孔、９２……雄ねじ部材、９４……雄ねじ部、９６……欠部、９７……欠部。
【図１】
0005056483.tif 000002
【図２】
0005056483.tif 000003
【図３】
0005056483.tif 000004
【図４】
0005056483.tif 000005
【図５】
0005056483.tif 000006
【図６】
0005056483.tif 000007
【図７】
0005056483.tif 000008
【図８】
0005056483.tif 000009
【図９】
0005056483.tif 000010
【図１０】
0005056483.tif 000011
【図１１】
0005056483.tif 000012
【図１２】
0005056483.tif 000013
【図１３】
0005056483.tif 000014
【図１４】
0005056483.tif 000015
【図１５】
0005056483.tif 000016
【図１６】
0005056483.tif 000017
【図１７】
0005056483.tif 000018
【図１８】
0005056483.tif 000019
【図１９】
0005056483.tif 000020